(57)【要約】【課題】ユーザーはマスクを一度取り外して再度装着する際にどちらが外側面であるかを簡単に確認するとともにどちらが上側であるかを簡単に確認して正しく装着することができ、さらに、ユーザーはマスク基部の上側のマスク左右両側の角およびその近傍をきちんと顔の頬にフィットさせることができるマスクを提供する。【解決手段】マスク１００は、ユーザーの鼻および口を覆う不織布で形成されたシート状のマスク基部１１０と、マスク基部のマスク左右両側において弧形状を形成してユーザーの耳にかけられる紐状部１２０と、マスク基部の上側縁領域１１１の一部における内部に設けられた変形自在な棒状心材１３０と、マスク基部の外側面１１３における上側縁領域においてマスク左右両端１１２まで延びて配設された帯状部材１４０とを備えている。帯状部材が、粘着層を有してマスク基部に対して着脱自在に接着されている。【選択図】図１
0003227467.tif 000002
【実用新案登録請求の範囲】
【請求項１】
ユーザーの鼻および口を覆うマスクであって、
前記ユーザーの鼻および口を覆う不織布で形成されたシート状のマスク基部と、
前記マスク基部のマスク左右両側において弧形状を形成してユーザーの耳にかけられる紐状部と、
前記マスク基部の上側縁領域の一部における内部に設けられた変形自在な棒状心材と、
前記マスク基部の外側面における上側縁領域においてマスク左右両端まで延びて配設された帯状部材とを備え、
前記帯状部材が、粘着層を有してマスク基部に対して着脱自在に接着されていることを特徴とするマスク。
【請求項２】
前記帯状部材が、マスク左右方向に並んだ複数の突状の装飾部を有している構成であることを特徴とする請求項１に記載のマスク。
【考案の詳細な説明】
【技術分野】
【０００１】
本考案は、ユーザーの鼻および口を覆うマスクに関する。
【背景技術】
【０００２】
従来、不織布で形成されたマスク本体と、紐状の固定部とを有するマスクが知られている（例えば、特許文献１）。
【先行技術文献】
【特許文献】
【０００３】
【特許文献１】特開２０２０−２４８３号公報（特に、段落００７４〜００７７参照）
【考案の概要】
【考案が解決しようとする課題】
【０００４】
しかしながら、上述した従来のマスクは、非装着時にはプリーツが閉じてかさばらない平面状となる構成であったため、一度外してから再度装着する際、外側面と内側面とを間違えて装着してしまいやすく衛生面で問題があった。
また、上下反対に間違えて装着してしまい鼻柱から頬にかけての隙間ができて衛生面で問題があった。
さらに、マスク本体における上側縁領域の一部の範囲にノーズフィット部材と呼ばれる棒状心材を設けていたが、それよりもマスク左右外側の角が折れ曲がって装着された場合、マスク本体における上側縁領域と頬との間で隙間ができて衛生面で問題があった。
【０００５】
そこで、本考案は、前述したような従来技術の問題を解決するものであって、すなわち、本考案の目的は、ユーザーはマスクを一度取り外して再度装着する際にどちらが外側面であるかを簡単に確認するとともにどちらが上側であるかを簡単に確認して正しく装着することができ、さらに、ユーザーはマスク基部の上側のマスク左右両側の角およびその近傍をきちんと顔の頬にフィットさせることができるマスクを提供することである。
【課題を解決するための手段】
【０００６】
本請求項１に係る考案は、ユーザーの鼻および口を覆うマスクであって、前記ユーザーの鼻および口を覆う不織布で形成されたシート状のマスク基部と、前記マスク基部のマスク左右両側において弧形状を形成してユーザーの耳にかけられる紐状部と、前記マスク基部の上側縁領域の一部における内部に設けられた変形自在な棒状心材と、前記マスク基部の外側面における上側縁領域においてマスク左右両端まで延びて配設された帯状部材とを備え、前記帯状部材が、粘着層を有してマスク基部に対して着脱自在に接着されていることにより、前述した課題を解決するものである。
【０００７】
本請求項２に係る考案は、請求項１に記載されたマスクの構成に加えて、前記帯状部材が、マスク左右方向に並んだ複数の突状の装飾部を有している構成であることにより、前述した課題をさらに解決するものである。
【考案の効果】
【０００８】
本考案のマスクは、不織布で形成されたシート状のマスク基部と、マスク基部のマスク左右両側において弧形状を形成してユーザーの耳にかけられる紐状部とを備えていることにより、ユーザーの鼻および口を覆うことができるばかりでなく、以下のような特有の効果を奏することができる。
【０００９】
本請求項１に係る考案のマスクによれば、帯状部材がマスク基部における外側面、かつ、上側縁領域に位置するため、ユーザーはマスクを一度取り外して再度装着する際にどちらが外側面であるかを簡単に確認するとともにどちらが上側であるかを簡単に確認して正しく装着することができる。
つまり、外側面と内側面とを間違えて装着してしまうことを回避できるとともに上下逆さまに間違えて装着してしまうことを回避できる。
さらに、帯状部材がマスク基部の上側縁領域のマスク左右両端まで延びてマスク基部の上側が全範囲で補強されて、ユーザーがマスクを装着した際にマスク基部の上側のマスク左右両側の角が折れ曲がりにくくなるため、ユーザーはマスク基部の上側のマスク左右両側の角およびその近傍をきちんと顔の頬にフィットさせることができる。
また、所謂、使い捨てマスクであっても、帯状部材が着脱自在であるため、マスク基部が汚れてしまった場合に帯状部材を取り外して、新しい使い捨てマスクに取り付けることも可能である。
【００１０】
本請求項２に係る考案のマスクによれば、請求項１に係る考案が奏する効果に加えて、装飾部の箇所が突状になって他の部位よりも目立つため、ユーザーがマスクを装着する際、目視で簡単に向きを確認して正しい向きで装着することができる。
さらに、手で触っても凹凸の感触で装飾部の箇所が他の部位よりもわかりやすいため、感触で簡単に向きを確認して正しい向きで装着することができる。
特に、薄暗い場所でマスクを装着するときに効果的である。
さらに、視力の弱い方や目の不自由な方であっても簡単に向きを確認して正しい向きで装着することができる。
また、装飾部がアクセントになるため、無機質な感じがする従来の所謂、使い捨てマスクであってもファッションとして楽しむことができる。
さらに、万が一にマスク基部の上側のマスク左右両側の角が折れ曲がって装着された場合に折れ曲がった箇所よりマスク左右外側の突状の装飾部がユーザーの頬に接触するため、ユーザーはマスク基部の一部が折れ曲がって装着されたことに簡単に気づいてマスクを正しく装着し直すことができる。
そして、所謂、使い捨てマスクであっても、帯状部材が着脱自在であるため、マスク基部が汚れてしまった場合に帯状部材を取り外して、新しい使い捨てマスクに取り付けてファッションとして続けて楽しむことも可能である。
【図面の簡単な説明】
【００１１】
【図１】（Ａ）（Ｂ）は本考案の実施例であるマスクの外側面を示す図および内側面を示す図。
【図２】（Ａ）（Ｂ）は図１（Ｂ）の符号２Ａから視た上面図および図２（Ａ）の符号２Ｂの箇所から視た拡大上面図。
【図３】本考案の実施例であるマスクの帯状部材を新しいマスク基部に取り付ける様子を示す図。
【考案を実施するための形態】
【００１２】
本考案のマスクは、ユーザーの鼻および口を覆う不織布で形成されたシート状のマスク基部と、マスク基部のマスク左右両側において弧形状を形成してユーザーの耳にかけられる紐状部と、マスク基部の上側縁領域の一部における内部に設けられた変形自在な棒状心材と、マスク基部の外側面における上側縁領域においてマスク左右両端まで延びて配設された帯状部材とを備え、帯状部材が、粘着層を有してマスク基部に対して着脱自在に接着されていることにより、ユーザーはマスクを一度取り外して再度装着する際にどちらが外側面であるかを簡単に確認するとともにどちらが上側であるかを簡単に確認して正しく装着することができ、さらに、ユーザーはマスク基部の上側のマスク左右両側の角およびその近傍をきちんと顔の頬にフィットさせることができるものであれば、その具体的な実施態様は、如何なるものであっても構わない。
【００１３】
例えば、帯状部材は、軟性ウレタンなど樹脂製でもよく、マスク基部の不織布に貼られているときに、貼られていることが目で視てわかる、または、手で触れてわかるものであれば如何なるものであっても構わない。
本考案において、マスク基部の上側縁領域とは、上側縁から所定幅として約１０ｍｍを幅とする帯状の範囲をいう。
【実施例】
【００１４】
以下に、本考案の実施例であるマスク１００について、図１（Ａ）乃至図３に基づいて説明する。
ここで、図１（Ａ）は、本考案の実施例であるマスク１００の外側面１１３を示す図であり、図１（Ｂ）は、本考案の実施例であるマスク１００の内側面１１４を示す図であり、図２（Ａ）は、図１（Ｂ）の符号２Ａから視た上面図であり、図２（Ｂ）は、図２（Ａ）の符号２Ｂの箇所から視た拡大上面図であり、図３は、本考案の実施例であるマスク１００の帯状部材１４０を新しいマスク基部１１０に取り付ける様子を示す図である。
【００１５】
本考案の実施例であるマスク１００は、図１（Ａ）〜図２（Ｂ）に示すように、一例として矩形のマスク基部１１０と、紐状部１２０と、棒状心材１３０と、帯状部材１４０とを備えている。
このうち、マスク基部１１０は、不織布でシート状に形成されて、ユーザーの鼻および口を覆うように設けられている。
なお、マスク基部１１０は、複数のシート状の不織布を重ねて形成される。
さらに、不織布が３層以上の場合、中間層にフィルター機能を有する不織布を使用する。
また、本実施例のマスク１００は、所謂、プリーツ型であり、一例として、プリーツと呼ばれる折り目１１５が、外側面１１３に３つ、内側面１１４に３つそれぞれマスク左右方向Ｄに延設されている。
【００１６】
さらに、紐状部１２０は、マスク基部１１０のマスク左右両側において弧形状を形成してユーザーの耳にかけられるように設けられている。
本実施例では、紐状部１２０は、ゴム紐のような伸縮性を有している。
また、棒状心材１３０は、外力により変形自在であり、マスク基部１１０の上側縁領域１１１の一部における内部に設けられている。
本実施例では、棒状心材１３０は、細い針金のように可塑性を有している。
そして、棒状心材１３０をユーザーの鼻の形状に合わせて変形させることにより、ユーザーの鼻柱から頬にかけてマスク基部１１０の上側縁領域１１１をフィットさせることができる。
【００１７】
さらに、帯状部材１４０は、マスク基部１１０の外側面１１３における上側縁領域１１１においてマスク左右両端１１２まで延びて配設されている。
本実施例では、図２（Ｂ）に示すように、帯状部材１４０は、厚さ１ｍｍ未満の薄くて幅が約４〜７ｍｍ程度のフィルム状の基部の裏側に粘着層１４１を有している。
そして、粘着層１４１の粘着力によって、帯状部材１４０は、マスク基部１１０に対して着脱自在に接着されている。
【００１８】
これにより、帯状部材１４０がマスク基部１１０における外側面１１３、かつ、上側縁領域１１１に位置する。
その結果、ユーザーはマスク１００を一度取り外して再度装着する際にどちらが外側面１１３であるかを簡単に確認するとともにどちらが上側であるかを簡単に確認して正しく装着することができる。
つまり、外側面１１３と内側面１１４とを間違えて装着してしまうことを回避できるとともに上下逆さまに間違えて装着してしまうことを回避できる。
【００１９】
さらに、帯状部材１４０がマスク基部１１０の上側縁領域１１１のマスク左右両端１１２まで延びてマスク基部１１０の上側が全範囲で補強されて、ユーザーがマスク１００を装着した際にマスク基部１１０の上側のマスク左右両側の角が折れ曲がりにくくなる。
その結果、ユーザーはマスク基部１１０の上側のマスク左右両側の角およびその近傍をきちんと顔の頬にフィットさせることができる。
なお、所謂、使い捨てマスクであっても、帯状部材１４０が着脱自在であるため、マスク基部１１０が汚れてしまった場合に帯状部材１４０を取り外すことができる。
そして、図３に示すように、帯状部材１４０を、新しい使い捨てマスクに取り付けることも可能である。
また、帯状部材１４０の位置が、マスク基部１１０の上側縁領域１１１内であり、ユーザーの鼻の穴より上方となるため、帯状部材１４０がユーザーの呼吸を妨げる虞がない。
【００２０】
さらに本実施例では、図１（Ａ）、図２（Ａ）および図２（Ｂ）に示すように、帯状部材１４０が、マスク左右方向Ｄに並んだ複数の突状の装飾部１４２を有している構成である。
つまり、帯状部材１４０は、厚さ１ｍｍ未満の薄くて幅が約４〜７ｍｍ程度のフィルム状の基部の表面に装飾部１４２を有している。
装飾部１４２は、一例として、直径３〜６ｍｍ、高さ（厚み）０．５〜１．５ｍｍのラインストーンを模した樹脂製の突部である。
【００２１】
これにより、装飾部１４２の箇所が突状になって他の部位よりも目立つ。
その結果、ユーザーがマスク１００を装着する際、目視で簡単に向きを確認して正しい向きで装着することができる。
さらに、手で触っても凹凸の感触で装飾部１４２の箇所が他の部位よりもわかりやすい。
その結果、感触で簡単に向きを確認して正しい向きで装着することができる。
特に、薄暗い場所でマスク１００を装着するときに効果的である。
さらに、視力の弱い方や目の不自由な方であっても簡単に向きを確認して正しい向きで装着することができる。
【００２２】
また、装飾部１４２がアクセントになる。
つまり、所謂、ビジューマスクとなる。
その結果、無機質な感じがする所謂、使い捨てマスクであってもファッションとして楽しむことができる。
さらに、万が一にマスク基部１１０の上側のマスク左右両側の角が折れ曲がって装着された場合に折れ曲がった箇所よりマスク左右外側の突状の装飾部１４２がユーザーの頬に接触する。
その結果、ユーザーはマスク基部１１０の一部が折れ曲がって装着されたことに簡単に気づいてマスク１１０を正しく装着し直すことができる。
なお、所謂、使い捨てマスクであっても、帯状部材１４０が着脱自在であるため、マスク基部１１０が汚れてしまった場合に帯状部材１４０を取り外すことができる。
そして、図３に示すように、新しい使い捨てマスクに取り付けてファッションとして続けて楽しむことも可能である。
【００２３】
本実施例では、装飾部１４２を、一例として、ラインストーンを模した樹脂製の突部（突状）としたが、これに限らない。
例えば、パール（真珠）を模した樹脂製の球状または半球状の突部としてもよい。
また、装飾部１４２を、凹凸がなく色彩のある模様のみの構成や、凹凸も模様もなくマスク基部１１０と異なる色彩のみの構成としてもよい。
【００２４】
このようにして得られた本考案の実施例であるマスク１００は、ユーザーの鼻および口を覆う不織布で形成されたシート状のマスク基部１１０と、マスク基部１１０のマスク左右両側において弧形状を形成してユーザーの耳にかけられる紐状部１２０と、マスク基部１１０の上側縁領域１１１の一部における内部に設けられた変形自在な棒状心材１３０と、マスク基部１１０の外側面１１３における上側縁領域１１１においてマスク左右両端１１２まで延びて配設された帯状部材１４０とを備え、帯状部材１４０が、粘着層１４１を有してマスク基部１１０に対して着脱自在に接着されていることにより、ユーザーはマスク１００を一度取り外して再度装着する際にどちらが外側面１１３であるかを簡単に確認するとともにどちらが上側であるかを簡単に確認して正しく装着することができ、ユーザーはマスク基部１１０の上側のマスク左右両側の角およびその近傍をきちんと顔の頬にフィットさせることができる。
【００２５】
さらに、帯状部材１４０が、マスク左右方向Ｄに並んだ複数の突状の装飾部１４２を有している構成であることにより、ユーザーがマスク１００を装着する際、目視で簡単に向きを確認して正しい向きで装着することができ、感触で簡単に向きを確認して正しい向きで装着することができ、視力の弱い方や目の不自由な方であっても簡単に向きを確認して正しい向きで装着することができ、無機質な感じがする従来の所謂、使い捨てマスクであってもファッションとして楽しむことができるなど、その効果は甚大である。
【符号の説明】
【００２６】
１００  ・・・  マスク
１１０  ・・・  マスク基部
１１１  ・・・  上側縁領域
１１２  ・・・  マスク左右両端
１１３  ・・・  外側面
１１４  ・・・  内側面
１１５  ・・・  折り目
１２０  ・・・  紐状部
１３０  ・・・  棒状心材
１４０  ・・・  帯状部材
１４１  ・・・  粘着層
１４２  ・・・  装飾部
Ｄ      ・・・  マスク左右方向
【図１】
0003227467.tif 000003
【図２】
0003227467.tif 000004
【図３】
0003227467.tif 000005